(57)【要約】    【課題】  構造が簡易化できるとともに、小型化が可能な仕分け装置を提供する。  【解決手段】  画像処理機の搬送機構から搬出される画像処理済みのシート材を仕分けるための仕分け装置が、前記搬送機構から搬出されるシート材を収容するための複数の収容室を備えた収容体と、各収容室の収容口に沿って移動して、搬送機構から搬出されるシート材を収容室の1つに案内するためのガイド体と、ガイド体を移動させるための駆動機構とから構成されると共に、ガイド体は、前記駆動機構を介して各収容室の収容口と対応する位置まで移動して、搬送機構から搬出されるシート材を選択された収容室の1つに案内するようにした。  【選択図】  図３
2005156906.tif 000002
【特許請求の範囲】
【請求項１】
画像処理機の搬送機構から搬出される画像処理済みのシート材を仕分けるための仕分け装置であって、
前記搬送機構から搬出されるシート材を収容するための複数の収容室を備えた収容体と、
各収容室の収容口に沿って移動して、搬送機構から搬出されるシート材を収容室の1つに案内するためのガイド体と、
ガイド体を移動させるための駆動機構とが備えられ、
ガイド体は、前記駆動機構を介して各収容室の収容口と対応する位置まで移動して、搬送機構から搬出されるシート材を選択された収容室の1つに案内するようにしていることを特徴とする画像処理機の仕分け装置。
【発明の詳細な説明】
【技術分野】
【０００１】
本発明は、画像処理機で仕上げられたシート材を仕分けるための仕分け装置に関する。
【背景技術】
【０００２】
一般に画像処理機には、シート材であるプリント用紙に画像をプリント処理するための画像処理部と、画像処理部で仕上がったプリントを搬出するための搬送機構とが備えられている。
【０００３】
そして以上の画像処理機の搬送機構の搬出部には、出来上がったプリントを適宜仕分けるための仕分け装置が搭載され、搬送機構から搬出されるプリントを仕分け装置により、例えばオーダー毎に仕分けるようにしている。
【０００４】
ところで、前述の仕分け装置としては、図６に示すような仕分け装置Ａが従来から用いられている。
【０００５】
即ち、図６に示す仕分け装置Ａは、画像処理装置Ｂの一方の側壁面に沿うように設けられ、画像処理済みのシート材であるプリントを収容するための多数の受け皿Ｃが備えられており、これら受け皿Ｃは、画像処理装置Ｂの搬送機構Ｄから排出されるプリントの受け位置を含む周回軌道上を旋回移動するようになっている。
【０００６】
そして、プリントが搬送機構Ｄの排出部に臨む位置に移動した受け皿Ｃ上に例えば１オーダー分収容されたら、そのプリントを収容した受け皿が一段下方に移動すると共に、つぎの受け皿Ｃが搬送機構Ｄの排出部位に臨む位置に移動して、次のオーダー分のプリントが次の受け皿Ｃに収容されるという工程を繰り返し、これにより、画像処理装置Ｂで処理されたプリントが、オーダー毎に各受け皿Ｃに仕分けられるようになっている。（特許文献１参照）
【特許文献１】特開２００１−１３６６７号公報  しかしながら、以上の仕分け装置Ａでは、周回軌道の最下端まできた受け皿Ｃは、その後、折り畳まれた状態で周回軌道の上端方向に移動するように構成していることから、受け皿Ｃを折り畳む機構等を設けねばならず、全体として装置の構成が複雑となるし、また折り畳まれた受け皿Ｃを上方に搬送するための搬送スペースなどが余分に必要となって、装置が大型化せざるを得ない。
【発明の開示】
【発明が解決しようとする課題】
【０００７】
本発明は以上の実情に鑑みて開発したものであって、構造が簡易化できるとともに、小型化が可能な仕分け装置を提供することを目的としている。
【課題を解決するための手段】
【０００８】
以上の目的を達成するために、請求項１に記載の発明は、画像処理機の搬送機構から搬出される画像処理済みのシート材を仕分けるための仕分け装置が、前記搬送機構から搬出されるシート材を収容するための複数の収容室を備えた収容体と、各収容室の収容口に沿って移動して、搬送機構から搬出されるシート材を収容室の1つに案内するためのガイド体と、ガイド体を移動させるための駆動機構とから構成されると共に、ガイド体は、前記駆動機構を介して各収容室の収容口と対応する位置まで移動して、搬送機構から搬出されるシート材を選択された収容室の1つに案内するようにしていることを特徴とするものである。
【発明の効果】
【０００９】
請求項１に記載の発明の仕分け装置によれば、画像処理機の搬送機構から搬出されるシート材を、駆動機構を介して所定の収容室の収容口に対応する位置まで移動したガイド体の案内により、所定の収容室に確実に収容させることが出来、しかも以上の仕分け装置は、ガイド体のみが収容室の収容口に沿って移動するだけであるので、従来の仕分け装置に比べて、構造が簡単となって、製造コストも安価となるし、装置全体を小型化することも出来るに至ったのである。
【発明を実施するための最良の形態】
【００１０】
まず本発明にかかる仕分け装置２が搭載されている画像処理機１は、図１及び図２に概略的に示すように、ボックス状のハウジング１０内に、シート材としてのプリント用紙の搬送ユニット１１と、インクジェット式のプリントユニット１２と、画像などがプリント処理されたプリント用紙を所定の大きさに切断するためのカッターユニット１３と、カッターユニット１３によりカットされたプリント用紙をハウジング１０の上面に設けたトレイ１０ａ上若しくはトレイ１０ａの下方に配置した搬送機構１４に搬送するための搬送方向切換えユニット１５とが搭載されたものである。
【００１１】
トレイ１０ａの下方に設けられる搬送機構１４は、左右一対のローラ１４ａ間に無端ベルト１４ｂを架け渡して成るコンベヤから構成されている。
【００１２】
また以上の画像処理機1及び後記する仕分け装置２の各構成機器は、ハウジング１０内に配置されたコントローラ１６によって制御される。
【００１３】
尚、カッターユニット１３は、可動刃１３ａと、プリント用紙を挟んで可動刃１３ａと対向するように配置された固定刃１３ｂとが備えられ、可動刃１３ａは、コントローラ１６により制御されるモータ１３ｃによって動作するようになっている。
【００１４】
一方、仕分け装置２は、基本的には、画像処理機１の搬送機構１４から搬出されるシート材であるプリントＰを収容するための収容室３０が複数備えられた収容体３と、各収容室３０の収容口３１に沿って移動して、搬送機構１４から搬出されるプリントＰを収容室３０の1つに案内するためのガイド体４と、ガイド体４を移動させるための駆動機構５とが備えられている。
【００１５】
即ち、収容体３は、ボックス状に形成されて、搬送機構５の搬出部に取り付けられているのであって、この収容体３の内部における搬送機構５側には、ガイド体４が上下方向に移動可能とするための縦長の移動室３２が設けられ、この移動室３２の上端部側方には、搬送機構５から搬出されるプリントＰの投入口３３が開口している。
【００１６】
また収容体３内には、前述の移動室３２に沿って、６つの収容室３０が上下に画成され、この収容室３０と移動室３２とを仕切る仕切り壁３４には、移動室３２と各収容室３０とを連通させる収容口３１が開口し、また収容室３０における前記収容口３１とは反対側の側壁には、プリントＰを収容室３０から外部に取り出すための取り出し口３５が設けられている。
【００１７】
ガイド体４は、断面湾曲状に形成され、その上端部には、移動室３２の内側面３２ａとの隙間を埋めるために、二軸延伸ポリエステルフィルムから形成された可撓性を有する隙間シート４１が取り付けられている。
【００１８】
ガイド体４を移動させるための駆動機構５は、図５に示すように、移動室３２に沿って上下方向に配設されるガイドレール５１と、このガイドレール５１に沿って移動可能な移動体５２と、移動室３２の下方に配設された駆動モーター５３と、この駆動モータ５３の駆動軸５３ａに取り付けた駆動ローラ５４とガイドレール５１の上端部に回転自由に支持した従動ローラ５５間に架設した無端ベルト５６とから構成され、無端ベルト５６の途中に移動体５２を取り付けると共に、この移動体５２一端にガイド体４を組付けて、駆動モータ５３の駆動に伴う無端ベルト５６の旋回移動により、移動体５２を介してガイド体４をガイドレール５１に沿って上下方向に移動させるようにしている。
【００１９】
駆動モータ５３の駆動は、コントローラ１６により制御されているのであって、コントローラ１６の制御により、ガイド体４が駆動機構５を介して各収容室３０の収容口３１と対応する位置まで移動して、搬送機構１４の搬出部から搬出されるプリントＰを選択された収容室３０の1つに案内するようにしている。
【００２０】
以上の仕分け装置２の動作について図３および図４に基づいて説明する。
【００２１】
まず、初期状態では、図３に示すように、ガイド体４は、最も低い位置に設けられた収容室３０−ａの収容口３１−ａと対応する位置で停止している。
【００２２】
そしてこの状態から画像処理機１の運転に伴い、この画像処理機１でプリント処理されたプリントＰは、搬送方向切換ユニット１５を介して搬送機構１４に送りこまれた後、この搬送機構１４により、収容体３の投入口３３から移動室３２内に投入されるのであって、投入口３３から投入されたプリントＰは、ガイド体４の案内により、最も低い位置に設けられた収容室３０−ａ内に収容されるのである。
【００２３】
そして例えば１オーダー分のプリントＰが前述の収容室３０−ａ内に収容されて、次のオーダーのプリントＰが画像処理機１で処理されるに伴い、コントローラ１６の制御により、仕分け装置２の駆動機構５を構成する駆動モーター５３が駆動して、無端ベルト５６の旋回動作により、ガイド体４が移動体５２を介して図３に示す位置から所定ストローク上方に移動し、ガイド体４が、図４に示すように、下から２段目の収容室３０−ｂの収容口３１−ｂと対応する位置で停止する。
【００２４】
これに伴い、画像処理機１でプリント処理されて搬送機構１４に送りこまれたプリントＰは、収容体３の投入口３３から移動室３２内に投入され、ガイド体４の案内により、下から２段目の収容室３０−ｂ内に収容されるのである。
【００２５】
以上のごとく、コントローラ１６の制御により駆動機構５を動作させて、ガイド体４を適宜上下に所定ストローク移動させるだけで、所望の収容室３０にプリントＰを収容することが出来るのであって、また各収容室３０内に収容されたプリントＰは、取り出し口３５より外部に用意に取り出すことが出来る。
【００２６】
斯くして以上の仕分け装置２は、複数の収容室３０を備えた収容体３が画像処理機１に固定され、ガイド体４のみが収容室３０の収容口３１に沿って移動するだけであるので、図６に示すような従来の仕分け装置に比べて、構造が簡単となって、
製造コストも安価となるし、装置全体を小型化することも出来る。
【００２７】
以上の実施形態では、プリントＰを最も低い位置の収容室３０から順番に投入するように制御したが、これに限定されるものではなく、初期状態の時にガイド体４を最も高い位置の収容室３０の収容口３１と対応する位置に位置させ、その後、順次ガイド体４を下方の収容室３０の投入口３１と対応する位置に順次降下させるようにしてもよい。
【００２８】
また以上の実施形態では、インクジェット式のプリントユニット１２が搭載された画像処理装置１のプリントの仕分け装置として用いるようにしたが、これに限定されるものではなく、例えば、印画紙を現像処理する現像処理機構が搭載された画像処理装置に搭載するようにして良い。
【図面の簡単な説明】
【００２９】
【図１】本発明にかかる仕分け装置が搭載された画像処理機の概略斜視図。
【図２】画像処理機の構成図。
【図３】本発明にかかる仕分け装置の作動説明図。
【図４】本発明にかかる仕分け装置の作動説明図。
【図５】本発明にかかる仕分け装置における駆動機構の斜視図。
【図６】従来の仕分け装置が搭載された画像処理の斜視図。
【符号の説明】
【００３０】
１     画像処理機
２     仕分け装置
３     収容体
３０   収容室
３１    収容口
４      ガイド体
５      駆動機構
Ｐ     プリント（シート材）
【図１】
2005156906.tif 000003
【図２】
2005156906.tif 000004
【図３】
2005156906.tif 000005
【図４】
2005156906.tif 000006
【図５】
2005156906.tif 000007
【図６】
2005156906.tif 000008